(57)【要約】【課題】表示部の表示面積を広くするだけでなく、操作部の操作性の向上を図ることができる電子機器を提供することを目的とする。【解決手段】画像を表示するための表示部と、前記表示部の前面に設けられた操作部とを有する電子機器において、操作部は表示部の前面に、表示部の表示面に水平に位置するように設けられる。また、表示部の上下部に設けられたガイド溝と操作部の上下部に設けられた突起を用いた爪係合構造が設けられており、これにより操作部が表示部の一部を覆った位置と、操作部が表示部の領域外へ移動した位置の間を、表示部の表示面に対し左右方向にスライド移動可能である。よって、表示部の表示面積を広くするだけでなく、操作部の操作性を向上できる。【選択図】    図２
2005017968.tif 000002
【特許請求の範囲】
【請求項１】
画像を表示するための表示部と、
前記表示部の前面に設けられた操作部とを有する電子機器において、
前記操作部を前記表示部の前面の領域外へスライド移動させるスライド移動手段を備えたことを特徴とする電子機器。
【請求項２】
前記表示部の前面には電子機器を操作するための透明のシートスイッチが配設されてタッチパネルが構成され、
前記操作部は、
押圧操作により前記シートスイッチの所定箇所を押圧する押釦から構成されることを特徴とする請求項１記載の電子機器。
【請求項３】
前記スライド移動手段は、
前記操作部が前記表示部の表示面に対して平行にスライド移動することを特徴とする請求項１または請求項２記載の電子機器。
【請求項４】
画像を表示するための表示部と、
前記表示部の前面に設けられた操作部とを有する電子機器において、
前記操作部を前記表示部の表示面に対して平行な支持軸を中心に回動移動させる回動移動手段を備えたことを特徴とする電子機器。
【請求項５】
画像を表示するための表示部と、
前記表示部の前面に設けられた操作部とを有する電子機器において、
前記操作部が前記表示部から着脱可能とする操作部着脱手段を備えたことを特徴とする電子機器。
【請求項６】
前記操作部着脱手段は、
前記操作部と前記表示部との係合構造により着脱可能とすることを特徴とする請求項５記載の電子機器。
【請求項７】
前記操作部着脱手段は、
前記操作部と前記表示部との磁性体を用いた接着構造により着脱可能とすることを特徴とする請求項５記載の電子機器。
【請求項８】
前記操作部の変位状態に応じて、前記表示部に表示する画像を拡大・縮小する画像拡大縮小手段を備えることを特徴とする請求項１〜請求項７のいずれかに記載の電子機器。
【請求項９】
前記操作部の変位状態に応じて、前記表示部に表示する画像の拡大・縮小は行わず、表示範囲を制御する画像表示範囲制御手段を備えることを特徴とする請求項１〜請求項７のいずれかに記載の電子機器。
【請求項１０】
更に、前記操作部の一部を前記表示部の前面の領域外へスライド移動させるスライド移動手段を備えたことを特徴とする請求項４記載の電子機器。
【発明の詳細な説明】
【０００１】
【発明の属する技術分野】
本発明は、前面に操作部と表示部を有する電子機器に係り、詳細には車載用等の多機能化、高性能化と共に小型化が要求される電子機器に関する。
【０００２】
【従来の技術】
近年、電子機器の多機能化、高性能化と共に小型化が進んでいるが、特に車載用では顕著で、例えば、カーオーディオシステムやカーナビゲーションシステム、またこれらを統合した一体機と呼ばれる車載用電子機器が普及しつつある。
【０００３】
図１は、カーオーディオとカーナビゲーションを統合した一体機を示す斜視図である。
【０００４】
１１はディスクプレーヤ、ラジオ受信機などからなるカーオーディオシステムと、地図、自車位置および目的地までの経路を表示して目的地までの案内を行うカーナビゲーションシステムを統合した一体機である。１２はＡＭ・ＦＭチューナ、オーディオアンプ、マイクロコンピュータおよび各種回路が内蔵された一体機の本体部である。１３は本体部１２の前部に配置された表示部であり、本体部１２の前面に固定された外枠パネル１４と液晶パネル等の画像を表示するための液晶表示板１５および液晶表示板の前面のほぼ全域を覆って設置され、液晶表示板１５の画像と連動して各種操作ができる透明のタッチパネル１６から構成されている。１７は一体機１１を操作するための操作部材である。
【０００５】
このような一体機１１では、例えば、２ディン（ＤＩＮ）サイズの本体部１２が、車両のインストルメントパネル（図示省略）に埋設され、表示部１３がインストルメントパネルの前面に現れる。表示部１３に設けられた液晶表示板１５には、カーオーディオシステムにおけるイコライザの表示またはカーナビゲーションシステムにおける地図の表示などがなされる。
【０００６】
これら一体機１１に見られるように、車載用電子機器の多機能化、高性能化が進んでおり、それに伴い表示部１３に表示する情報量の増加または／および車載用電子機器を操作するための操作部材１７の増加が見られる。しかし、利用可能な車室内のスペースや車載用電子機器のサイズは限られるため、表示部１３の表示面積と操作部材１７の配置スペースの双方を広く確保することは困難であった。
【０００７】
このような問題を解決するべく、例えば、特開平９−１３８６５２号公報（以下、特許文献１とする）では、ディスプレイを筐体内に水平姿勢で収納し、操作部を筐体の前面を塞ぐように配置し、使用時にだけディスプレイおよび操作部を筐体の前面に移動させる技術が開示されている。
【０００８】
また、特開平１０−２９４４６号公報（以下、特許文献２とする）では、メインディスプレイ上に、メインディスプレイに対して側方開閉および上下に回転するサブディスプレイを設け、また操作部材をサブディスプレイの裏側に設ける技術が開示されている。
【０００９】
【特許文献１】
特開平９−１３８６５２号
【特許文献２】
特開平１０−２９４４６号
【００１０】
【発明が解決しようとする課題】
このように、表示部と操作部を分割して設けることにより、表示部の表示面積をできるだけ広く確保することは知られている。
【００１１】
しかしながら、特許文献１の車載用電子機器にあっては、筐体の前面に移動された操作部が運転の障害等になり、また、操作部のみを閉じようとしても、表示部も同時に閉じてしまうという操作性の問題がある。
【００１２】
また、特許文献２の車載用電子機器にあっては、操作部材がサブディスプレイの裏側に設けられるため、サブディスプレイを使用する場合に、操作部材が隠れてしまい使用できないという操作性の問題がある。
【００１３】
本発明は、上述の問題を解決するもので、表示部の表示面積を広くするだけでなく、操作部の操作性の向上も図ることができる電子機器を提供することを目的とする。
【００１４】
【課題を解決するための手段】
本発明は、上述の問題を解決するもので、画面を表示するための表示部と、前記表示部の前面に設けられた操作部とを有する電子機器において、前記操作部を前記表示部の前面の領域外へスライド移動させるスライド移動手段を備えたことを特徴とするものである。これによれば、操作部を表示部の領域外へスライドすると表示部のほぼ全面を使用でき、また、操作部材は常に前方方向に向いていることより操作性が向上する。
【００１５】
【発明の実施の形態】
次に、本発明の実施の形態（以下実施形態と呼ぶ）について、図面を用いて具体的に説明する。
【００１６】
図２は本発明の第１の実施形態に係る一体機の斜視図で、図３は操作部と表示部のＡ−Ａ断面図である。
【００１７】
２１はディスクプレーヤ、ラジオ受信機などからなるカーオーディオシステムと、地図、自車位置および目的地までの経路を表示して目的地までの案内を行うカーナビゲーションシステムを統合した一体機である。２２はＡＭ・ＦＭチューナ、オーディオアンプ、マイクロコンピュータおよび各種回路が内蔵された一体機の本体部である。２３は本体部２２の前部に配置された表示部であり、本体部２２の前面に固定された外枠パネル２４と液晶パネル等の画像を表示するための液晶表示板２５および液晶表示板の前面のほぼ全域を覆って設置され、液晶表示板２５の画像と連動して各種操作ができる透明のタッチパネル２６から構成されている。２８は一体機を操作するための複数の操作部材２７が設けられた操作部である。操作部材２７を使用して入力された操作信号は、可撓線３０を介して操作部２８から本体部２２へ導出され、その操作信号により一体機２１は制御される。３１は操作部２８の開閉状態を検知するためのマイクロスイッチ等からなる開閉センサであり、操作部２８の開閉により機械的にスイッチが接続される位置に配設されている。スライド移動手段は表示部２３に設けられたガイド溝２９と操作部２８に設けられた突起３２から構成される。
【００１８】
操作部２８は表示部２３の前面に、表示部２３の表示面に水平に位置するように設けられる。また、表示部２３の上下部に設けられたガイド溝２９と操作部２８の上下部に設けられた突起３２を用いた爪係合構造３３が設けられており、これにより操作部２８が表示部２３の一部を覆った位置（図２（ａ）、図３（ａ）：以下、閉鎖位置という）と、操作部２８が表示部２３の領域外へ移動した位置（図２（ｂ）、図３（ｂ）：以下、開放位置という）の間を、表示部２３の表示面に対し左右方向にスライド移動可能になっている。
【００１９】
次に、一体機の操作動作について図面を用いて説明する。
【００２０】
図４は画面の切替システムの構成を示す電気的なブロック図である。
【００２１】
４１は各種演算および装置全体の制御を行うためのコントロールユニットである。コントロールユニット４１は、中央処理装置ＣＰＵ４１Ａ、プログラムおよびプログラムの動作に不可欠な情報が記憶されているＲＯＭ４１Ｂ、ＣＰＵ４１Ａが演算を行うときに使用するＲＡＭ４１Ｃ、コントロールユニット４１と外部との入出力を行うＩ／Ｏ４１Ｄおよび液晶表示板２５等に送る信号を発生する制御部４１Ｅから構成されている。
【００２２】
次に、本実施形態に係る一体機の特徴である表示切替について図面を用いて説明する。
【００２３】
図５は操作部２８の閉鎖位置と開放位置の切替による液晶表示板２５の画面の表示切替を示す図である。図５（ａ）に示すのは、画像の拡大による表示切替例で、操作部２８を開放位置にすると、画像全体が表示面積の拡大に比例して拡大表示する。主にテレビ画像表示等で有効である。図５（ｂ）に示すのは、画像表示範囲の拡張による表示切替例で操作部２８を開放位置にすると、画像は拡大せず、表示の中心位置を基準として画像の表示範囲を広げる。主にナビゲーションでの自車位置の周辺を広い範囲で認識しようとする場合等、表示範囲を広げたい場合に有利である。
【００２４】
次に、本実施形態に係る一体機の制御部４１Ｅが行う操作部開閉操作処理について説明する。
【００２５】
図６は制御部４１Ｄが行う操作部開閉操作処理のフローチャートである。なお、この処理は一体機２１に電源が投入された時および操作部２８の開閉状態が変化した時に実行される。
【００２６】
ステップＳ１では、操作部２８が閉鎖状態か、開放状態かを開閉センサ３１からの信号で判断し、閉鎖状態であればステップＳ２に移り、開放状態であればステップＳ３に移る。ステップＳ２では、操作部２８が表示部２３の前面の一部を覆う位置にあるため、操作部が覆った部分以外の液晶表示板２５を使用した画像表示を行う。ステップＳ３では、ナビゲーション画像を表示しているか否かを判断し、表示していればステップＳ４に移り、表示していなければステップＳ５に移る。ステップＳ４では、ナビゲーション画像が表示されているため、図５（ｂ）に示したような画像表示範囲の拡張を行う。ステップ５では、ナビゲーション画像以外が表示、例えばテレビ画像が表示されているため、図５（ａ）に示したような画像の拡大を行う。
【００２７】
次に、本発明の第２の実施形態に係る一体機を図面を用いて説明する。
【００２８】
図７は本発明の第２の実施形態に係る一体機の斜視図である。なお、第２の実施形態は第１の実施形態に係る一体機の操作部のスライド方向を変更したもので、その他については第１の実施形態と略同じであるので、同じ構成については同じ符号を付し説明を省略する。
【００２９】
２２８は一体機を操作するための複数の操作部材２２７が設けられた操作部である。操作部材２２７を使用して入力された操作信号は、可撓線２３０を介して操作部２２８から本体部２２へ導出され、その操作信号により一体機２１は制御される。
【００３０】
操作部２２８は表示部２３の前面に、表示部２３の表示面に水平に位置するように設けられる。また、表示部２３の左右上部に設けられたガイド溝２２９と操作部２２８の左右部に設けられた突起２３２を用いた爪係合構造２３３が設けられており、これにより操作部２２８が表示部２３の一部を覆った位置（図７（ａ））と、操作部２２８が表示部２３の領域外へ移動した位置（図７（ｂ））の間を、表示部２３の表示面に対し上下方向にスライド移動可能になっている。３１は操作部２２８の近傍に配置され操作部２２８の開閉を検知する開閉センサであり、操作部２２８の開閉に伴う液晶表示板２５の画面変化は図５で示したように第１の実施形態の一体機と同じ要領で実行される。
【００３１】
次に、本発明の第３の実施形態に係る一体機を図面を用いて説明する。
【００３２】
図８は本発明の第３の実施形態に係る一体機の斜視図で、図９は操作部と表示部のＢ−Ｂ断面図である。なお、第３の実施形態は第１の実施形態に係る一体機の操作部を電気的なスイッチや回路を必要としないタッチパネル用の構造に変更したもので、その他については第１の実施形態と略同じであるので、同じ構成については同じ符号を付し説明を省略する。
【００３３】
３２８は一体機を操作するための複数の操作部材３２７が設けられた操作部である。操作部３２８は表示部２３の前面に、表示部２３の表示面に水平に位置するように設けられる。また、表示部２３の上下部に設けられたガイド溝２９と操作部３２８の上下部に設けられた突起３２を用いた爪係合構造３３３が設けられており、これにより操作部３２８が表示部２３の一部を覆った位置（図８（ａ）：以下、閉鎖位置という）と、操作部３２８が表示部２３の領域外へ移動した位置（図８（ｂ）：以下、開放位置という）の間を、表示部２３の表示面に対し左右方向にスライド移動可能になっている。９２は操作部材３２７を操作部３２８に保持する操作部材保持具であり、操作部材３２７を押圧されることにより弾性変形して、突起９３がタッチパネル２６のシートスイッチ９４を押圧して操作が行われる。なお、操作部材３２７の押圧操作を止めれば操作部材３２７は、操作部材保持具９２の弾性復帰力により、押圧前の状態に戻る。２６は透明のタッチパネルで、液晶表示板２５のほぼ全域を覆って配置され、操作部３２８の閉鎖位置における突起９３に対面する位置に、シートスイッチ９４を備えている。３１は操作部３２８の近傍に配置され操作部３２８の開閉を検知する開閉センサであり、操作部３２８の開閉に伴う液晶表示板２５の画面変化は図５で示したように第１の実施形態の一体機と同じ要領で実行される。
【００３４】
次に、操作部３２８の操作動作について説明する。
【００３５】
操作部３２８が閉鎖位置のときに、操作部材３２７を表示部２３に向けて押し下げると、突起９３がシートスイッチ９４を押圧しスイッチ操作が行われる。操作部３２８を開放位置にすると、操作部３２８の開閉を開閉センサ３１が検知し、画面の切替を行う。また、操作部３２８が開放位置のときには、シートスイッチ９４は指等で接触可能となり、直接指等によりスイッチ操作ができる。
【００３６】
次に、本発明の第４の実施形態に係る一体機を図面を用いて説明する。
【００３７】
図１０は本発明の第４の実施形態に係る一体機の斜視図で、図１１は操作部と表示部のＣ−Ｃ断面図である。なお、第４の実施形態は第１の実施形態に係る一体機の操作部の構造を変更したもので、その他については第１の実施形態と略同じであるので、同じ構成については同じ符号を付し説明を省略する。
【００３８】
４２８は一体機を操作するための複数の操作部材４２７が設けられた操作部である。操作部４２８は表示部２３の下部に液晶表示板２５の表示面に平行に延びる支持軸１１１に軸支されていて、操作部４２８が表示部２３の一部を覆った位置（図１０（ａ）、図１１（ａ））と、操作部４２８が表示部２３の領域外へ移動した位置（図１０（ｂ）、図１１（ｂ））の間を回動移動可能になっている。３１は操作部４２８の近傍に配置され操作部４２８の開閉を検知する開閉センサであり、操作部４２８の開閉に伴う液晶表示板２５の画面変化は図５で示したように第１の実施形態の一体機と同じ要領で実行される。
【００３９】
次に、本発明の第５の実施形態に係る一体機を図面を用いて説明する。
【００４０】
図１２は本発明の第５の実施形態に係る一体機の斜視図で、図１３は操作部と表示部のＤ−Ｄ断面図である。なお、第５の実施形態は第４の実施形態に係る一体機の操作部の一部をスライド移動可能に変更したもので、その他については第４の実施形態と略同じであるので、同じ構成については同じ符号を付し説明を省略する。
【００４１】
５２８は一体機を操作するための複数の操作部材５２７が設けられた操作部であり、本体１２１とスライド移動可能な移動部１２２から構成される。操作部材５２７を使用して入力された操作信号は、可撓線５３０を介して操作部５２８から本体部２２へ導出され、その操作信号により一体機２１は制御される。移動部１２２は本体１２１との係合構造１２３により、非スライド位置（図１２（ａ）、図１３（ａ））と、左方向スライド位置（図１２（ｂ）、図１３（ｂ））および右方向スライド位置（図１２（ｃ）、図１３（ｃ））の間をスライド移動可能となっている。
【００４２】
次に、本発明の第６の実施形態に係る一体機を図面を用いて説明する。
【００４３】
図１４は本発明の第６の実施形態に係る一体機の斜視図である。なお、第６の実施形態は第２の実施形態に係る一体機の操作部を爪係合構造により着脱可能に変更したもので、その他については第２の実施形態と略同じであるので、同じ構成については同じ符号を付し説明を省略する。
【００４４】
６２８は一体機を操作するための複数の操作部材６２７が設けられた操作部である。操作部６２８は表示部２３の左右上部に設けられた溝６２９と操作部の左右部に設けられた突起６３２を用いた爪係合構造６３３が設けられており、これにより操作部６２８が一体機２１と着脱可能になる。図１４（ａ）に示すのは、操作部６２８が一体機２１に取付けられた状態であり、例えば一体機２１を使用していない場合に、操作部６２８を紛失することがない。図１４（ｂ）に示すのは、操作部６２８が一体機２１から取外された状態であり、例えば一体機２１を使用する場合に、操作部６２８をリモートコントロール式操作部として使用できる。操作部材６２７を使用して入力された操作信号は、リモコン受発光部１４１を介して操作部６２８から本体部２２へ導出され、その操作信号により一体機２１は制御される。６３１は操作部６２８の近傍に配置され操作部６２８の取付け状態と取外し状態を検知する着脱センサであり、操作部６２８の着脱に伴う液晶表示板２５の画面変化は図５で示したように第１の実施形態の一体機と同じ要領で実行される。
【００４５】
次に、本発明の第７の実施形態に係る一体機を図面を用いて説明する。
【００４６】
図１５は本発明の第７の実施形態に係る一体機の斜視図である。なお、第７の実施形態は第６の実施形態に係る一体機の操作部を磁性体による接着構造により着脱可能に変更したもので、その他については第６の実施形態と略同じであるので、同じ構成については同じ符号を付し説明を省略する。
【００４７】
７２８は一体機を操作するための複数の操作部材７２７が設けられた操作部である。操作部７２８は操作部７２８の裏面部に設けられた磁性体１４２と表示部２３の前面部に設けられた磁性体１４３を用いた接着構造７３３が設けられており、これにより操作部７２８が一体機２１と着脱可能になる。図１５（ａ）に示すのは、操作部７２８が一体機２１に取付けられた状態であり、例えば一体機２１を使用していない場合に、操作部７２８を紛失することがない。図１５（ｂ）に示すのは、操作部７２８が一体機２１から取外された状態であり、例えば一体機２１を使用する場合に、操作部７２８をリモートコントロール式操作部として使用できる。操作部材７２７を使用して入力された操作信号は、リモコン受発光部１４１を介して操作部７２８から本体部２２へ導出され、その操作信号により一体機２１は制御される。６３１は操作部７２８の近傍に配置され操作部７２８の取付け状態と取外し状態を検知する着脱センサであり、操作部７２８の着脱に伴う液晶表示板２５の画面変化は図５で示したように第１の実施形態の一体機と同じ要領で実行される。
【００４８】
なお、以上に説明した本発明の第１〜５の実施形態に係る一体機は、操作部に直接指をかけて開閉する構造を示したが、操作部をモータと、ピニオン歯車と、これに歯合するラック等により電動による開閉構造にする等、種々の構造をとることも可能である。
【００４９】
また、以上の実施例では、車載用の一体機を例に挙げて説明したが、本発明にかかる電子機器は、画像を表示するための表示部と表示部の前面に設けられた操作部とを有する電子機器であれば、車載用の一体機に限らず、例えば家庭用などの各種電子機器に適用できることは言うまでもない。
【００５０】
【発明の効果】
以上説明したように本発明によれば、表示部の外形寸法に制約がある電子機器において、操作部を表示部の領域外へ移動可能な構成とすることにより、表示部の表示面積を広く確保するだけでなく、操作部を操作者に近い場所へ移動することができる等、操作性の向上を図ることができる電子機器を提供できる。
【００５１】
また、電子機器または／および操作部を使用していない場合に、操作部を表示部の一部を覆った位置へ移動可能な構成とすることにより、操作部を運転の障害等にならない位置に収容することができる電子機器を提供できる。
【００５２】
さらに、操作部を一体機と着脱可能とし、操作部を使用していない場合は一体機に取付けることができる構成とすることにより、従来のリモートコントロール式操作部と比較して、操作部を紛失する頻度を減らすことができる電子機器を提供できる。
【図面の簡単な説明】
【図１】従来の技術に係る一体機の斜視図である。
【図２】本発明の第１の実施形態に係る一体機の斜視図である。
【図３】操作部と表示部のＡ−Ａ断面図である。
【図４】画面の切替機能の構成を示す電気的なブロック図である。
【図５】操作部の閉鎖位置と開放位置の切替による液晶表示板の画面の表示切替例を示す図である。
【図６】制御部４１Ｄが行う操作部開閉操作処理のフローチャートである。
【図７】本発明の第２の実施形態に係る一体機の斜視図である。
【図８】本発明の第３の実施形態に係る一体機の斜視図である。
【図９】操作部と表示部のＢ−Ｂ断面図である。
【図１０】本発明の第４の実施形態に係る一体機の斜視図である。
【図１１】操作部と表示部のＣ−Ｃ断面図である。
【図１２】本発明の第５の実施形態に係る一体機の斜視図である。
【図１３】操作部と表示部のＤ−Ｄ断面図である。
【図１４】本発明の第６の実施形態に係る一体機の斜視図である。
【図１５】本発明の第７の実施形態に係る一体機の斜視図である。
【符号の説明】
２１・・・一体機
２２・・・本体部
２３・・・表示部
２４・・・外枠パネル
２５・・・液晶表示板
２６・・・タッチパネル
２７・・・操作部材
２８・・・操作部
２９・・・ガイド溝
３０・・・可撓線
３１・・・開閉センサ
【図１】
2005017968.tif 000003
【図２】
2005017968.tif 000004
【図３】
2005017968.tif 000005
【図４】
2005017968.tif 000006
【図５】
2005017968.tif 000007
【図６】
2005017968.tif 000008
【図７】
2005017968.tif 000009
【図８】
2005017968.tif 000010
【図９】
2005017968.tif 000011
【図１０】
2005017968.tif 000012
【図１１】
2005017968.tif 000013
【図１２】
2005017968.tif 000014
【図１３】
2005017968.tif 000015
【図１４】
2005017968.tif 000016
【図１５】
2005017968.tif 000017